(57)【特許請求の範囲】
【請求項１】
背負式作業機（１）の作業機本体部（１１）に背負バンド（９）のバンド端部（９ｅ）を取り付ける背負バンド（９）の取付構造であって、
前記背負バンド（９）の前記バンド端部（９ｅ）は、筒状部（９ｃ）と、前記筒状部（９ｃ）に挿入された棒状部材（９ｄ）と、を備え、
前記作業機本体部（１１）は、
前記棒状部材（９ｄ）を装着した状態の前記バンド端部（９ｅ）の挿通を可能とする小窓（６ｗ）と、
前記小窓（６ｗ）に連なり、前記背負バンド（９）の前記バンド端部（９ｅ）に続く帯状のバンド部（９ａ）の挿通を可能とする幅を有する一方で、前記棒状部材（９ｄ）を装着した状態の前記バンド端部（９ｅ）の挿通を不可とする幅を有するスリット（６ｔ）と、を備え、
前記作業機本体部（１１）の前記背負バンド（９）側が前側とされ、
前記スリット（６ｔ）のうち前記小窓（６ｗ）よりも前に離れた位置に、前記小窓（６ｗ）を挿通し内部に進入した前記バンド端部（９ｅ）が前記小窓（６ｗ）よりも前に移動した状態において前記バンド端部（９ｅ）のそれ以上の移動を阻止し当該バンド端部（９ｅ）を係止するためのバンド端部係止用スリット（６ｙ）を有することを特徴とする背負バンド（９）の取付構造。
【請求項２】
前記スリット（６ｔ）は、前記小窓（６ｗ）に対して直交するように延在する部分（６ｓ）を有し、
前記バンド端部（９ｅ）の前記棒状部材（９ｄ）の軸心方向が、前記スリットの延在する部分（６ｓ）の延在方向に沿った状態で、前記バンド端部（９ｅ）が前記小窓（６ｗ）に対して挿通可能とされることを特徴とする請求項１記載の背負バンド（９）の取付構造。
【請求項３】
前記小窓（６ｗ）と前記バンド端部係止用スリット（６ｙ）との間に、前記小窓（６ｗ）を挿通し内部に進入した状態の前記バンド端部（９ｅ）が、乗り越えることが可能であると共に戻ることを妨げるための山部（６ｍ）を有することを特徴とする請求項１又は２記載の背負バンド（９）の取付構造。
【請求項４】
前記小窓（６ｗ）は、山部（６ｍ）においてバンド端部係止用スリット（６ｙ）から遠い方の傾斜面（６ｐ）側に設けられ、
前記小窓（６ｗ）と前記バンド端部係止用スリット（６ｙ）とを結ぶスリット（６ｚ）は、少なくとも前記山部（６ｍ）に設けられていることを特徴とする請求項３記載の背負バンド（９）の取付構造。
【発明の詳細な説明】
【技術分野】
【０００１】
本発明は、背負式作業機に関し、特に、背負バンドの取付構造に関する。
【背景技術】
【０００２】
例えば背負式動力噴霧機等を始めとした背負式作業機にあっては、タンクや動力源等を備えた作業機本体部を背負うための背負バンドを左右一対備え、各背負バンドの上端部と下端部が、作業機本体部の上部と下部にそれぞれ取り付けられる。以下の特許文献１には、背負バンドの下端部を、作業機本体部の下部に取り付ける構造が詳説されている。
【０００３】
この取付構造にあっては、背負バンドの端部に連結された所謂ナスカン金具のフック部を、作業機本体部に設けられ外方へ突出する係止部に係止する構造となっている。
【先行技術文献】
【特許文献】
【０００４】
【特許文献１】特開２０１４−３０４０４号公報
【発明の概要】
【発明が解決しようとする課題】
【０００５】
しかしながら、上記取付構造にあっては、ナスカン金具が作業者の側腹部辺りに接触するため、背負い心地が悪いという問題がある。また、ナスカン金具が作業者に接触しないように、ナスカン金具の取り付け位置を、作業者の体の幅より大きく外側に外れた位置にした場合には、背負バンドが作業者の体にフィットし難く、この場合も背負い心地が悪いという問題がある。
【０００６】
本発明は、このような課題を解決するために成されたものであり、背負い心地を向上でき、加えて、背負バンドを容易に取り付けることができる背負バンドの取付構造を提供することを目的とする。
【課題を解決するための手段】
【０００７】
本発明による背負バンドの取付構造は、背負式作業機（１）の作業機本体部（１１）に背負バンド（９）のバンド端部（９ｅ）を取り付ける背負バンド（９）の取付構造であって、背負バンド（９）のバンド端部（９ｅ）は、筒状部（９ｃ）と、筒状部（９ｃ）に挿入された棒状部材（９ｄ）と、を備え、作業機本体部（１１）は、棒状部材（９ｄ）を装着した状態のバンド端部（９ｅ）の挿通を可能とする小窓（６ｗ）と、小窓（６ｗ）に連なり、背負バンド（９）のバンド端部（９ｅ）に続く帯状のバンド部（９ａ）の挿通を可能とする幅を有する一方で、棒状部材（９ｄ）を装着した状態のバンド端部（９ｅ）の挿通を不可とする幅を有するスリット（６ｔ）と、を備え、スリット（６ｔ）のうち小窓（６ｗ）よりも前に離れた位置に、小窓（６ｗ）を挿通し内部に進入したバンド端部（９ｅ）が小窓（６ｗ）よりも前に移動した状態においてバンド端部（９ｅ）のそれ以上の移動を阻止し当該バンド端部（９ｅ）を係止するためのバンド端部係止用スリット（６ｙ）を有することを特徴としている。
【０００８】
このような背負バンドの取付構造によれば、筒状部（９ｃ）に棒状部材（９ｄ）が挿入され装着された状態のバンド端部（９ｅ）が、作業機本体部（１１）の小窓（６ｗ）を通して内部に挿通されると共に、バンド端部（９ｅ）に続く帯状のバンド部（９ａ）が、作業機本体部（１１）のスリット（６ｔ）を通して内部に挿通され、この状態で、小窓（６ｗ）を挿通し内部に進入したバンド端部（９ｅ）が、小窓（６ｗ）から離れる方向へ引っ張られて移動すると、当該バンド端部（９ｅ）は、スリット（６ｔ）のうち小窓（６ｗ）から離れた位置のバンド端部係止用スリット（６ｙ）に突き当たり、それ以上の移動が阻止されて係止される。すなわち、背負バンド（９）のバンド端部（９ｅ）を作業機本体部（１１）に容易に取り付けることができる。また、この背負バンドの取付構造によれば、棒状部材（９ｄ）を装着した状態のバンド端部（９ｅ）が作業機本体部（１１）内に進入し、バンド部（９ａ）が作業機本体部（１１）外に配置される構成のため、ナスカン金具ではないバンド部（９ａ）を、作業者の体の幅とほぼ同じ幅の位置で作業機本体部（１１）外へ突出させることができ、バンド部（９ａ）を作業者の体にフィットするように接触させることができ、背負い心地を向上できる。
【０００９】
ここで、スリット（６ｔ）は、小窓（６ｗ）に対して直交するように延在する部分（６ｓ）を有し、バンド端部（９ｅ）の棒状部材（９ｄ）の軸心方向が、スリット（６ｓ）の延在方向に沿った状態で、バンド端部（９ｅ）が小窓（６ｗ）に対して挿通可能とされていると、小窓（６ｗ）に対してバンド端部（９ｅ）を容易に挿通できる。
【００１０】
また、小窓（６ｗ）とバンド端部係止用スリット（６ｙ）との間に、小窓（６ｗ）を挿通し内部に進入した状態のバンド端部（９ｅ）が、乗り越えることが可能であると共に戻ることを妨げるための山部（６ｍ）を有しているのが好ましい。このような構成を採用した場合、バンド端部（９ｅ）は、山部（６ｍ）を乗り越えると、当該山部（６ｍ）とバンド端部係止用スリット（６ｙ）との間の谷部（６ｎ）に落とし込まれ、山部（６ｍ）により戻ることが妨げられるため、好適に係止される。
【００１１】
ここで、上記作用を好適に奏する構成としては、具体的には、小窓（６ｗ）は、山部（６ｍ）においてバンド端部係止用スリット（６ｙ）から遠い方の傾斜面（６ｐ）側に設けられ、小窓（６ｗ）とバンド端部係止用スリット（６ｙ）とを結ぶスリット（６ｚ）は、少なくとも山部（６ｍ）に設けられる構成が挙げられる。
【発明の効果】
【００１２】
このように本発明によれば、背負い心地を向上できると共に、背負バンドを容易に取り付けることができる背負バンドの取付構造を提供できる。
【図面の簡単な説明】
【００１３】
【図１】本発明の背負バンドの取付構造が適用された背負式作業機を示す後方斜視図である。
【図２】図１に示す背負式作業機の前方斜視図である。
【図３】図１及び図２中の架台を示す後方斜視図であり、一方の背負バンドが係止された状態を示す図である。
【図４】図３に示す架台の背面図である。
【図５】図４中の左側の小窓を示す拡大図である。
【図６】図３及び図４に示す架台の前方斜視図である。
【図７】背負バンドの取り付け手順を示す図であり、架台の小窓に対して背負バンドのバンド端部をセットする様子を示す前方斜視図である。
【図８】図７に続く手順を示す図であり、図５中の小窓に背負バンドのバンド端部が挿通し、バンド端部に続くバンド部が山部のスリット及びバンド端部係止用スリットを挿通した状態を示す図である。
【図９】図８に示す状態を図４のＤ−Ｄ線に沿う位置で見た図である。
【図１０】図９に続く取り付け手順を示す図であり、バンド端部が山部に乗り上げた状態を示す図である。
【図１１】図１０に続く取り付け手順を示す図であり、バンド端部が山部を乗り越えて谷部に落とし込まれ山部とバンド端部係止用スリットとの間に係止された状態を示す図である。
【発明を実施するための形態】
【００１４】
以下、本発明に係る背負バンドの取付構造の好適な実施形態について、添付図面を参照しながら説明する。以下の説明において、上下、前後、左右等の方向を表す語は、作業者が背負式作業機を背負って直立した状態を基準とし、作業者にとり前方を「前」と定める。
【００１５】
図１は、本発明の背負バンドの取付構造が適用された背負式作業機を示す後方斜視図、図２は、背負式作業機の前方斜視図である。背負式作業機は、ここでは、背負式動力噴霧機であり、作業者が、噴霧機本体部（作業機本体部）を背負いながら薬剤を噴霧するためのものである。
【００１６】
図１及び図２に示すように、背負式動力噴霧機１の噴霧機本体部１１は、概略、薬剤タンク２、架台６、エンジン３、燃料タンク５及びポンプ４等を備える。
【００１７】
薬剤タンク２は、噴霧機本体部１１の上部を構成し薬剤（薬液）を貯留する。架台６は、噴霧機本体部１１の下部を構成し、これらの薬剤タンク２と架台６とは、架台６の上部に設けられた軸部６ｘ（図３及び図４参照）により回動可能に連結され、薬剤タンク２は、前傾が可能な所謂スイングタンクとされている。
【００１８】
架台６には、エンジン３、燃料タンク５及びポンプ４等が搭載される。エンジン３は、燃料タンク５に貯留された燃料により駆動されてポンプ４を駆動し、ポンプ４の駆動により薬剤タンク２の薬剤は下流側へ送り出される。
【００１９】
この背負式動力噴霧機１はさらに、薬剤タンク２から送り出された薬剤を作業者の手元まで伝送するための噴霧ホースと、噴霧ホースの端部に設けられ噴霧ホースからの薬剤を噴霧するための噴霧ノズルと、を備えている。また、噴霧機本体部１１の前面には、作業者の背中に当接しクッション性を有する背当て部材が取り付けられている。なお、図面において、これらの噴霧ホース、噴霧ノズル及び背当て部材は取り外されている。
【００２０】
背負式動力噴霧機１は、噴霧機本体部１１に取り付けられた左右一対の背負バンド９，９を備えている。背負バンド９，９のそれぞれは、長尺な帯状（略平板状）のバンド部９ａを有している。このバンド部９ａの上部及び下部には、長手方向に沿ってクッション部９ｂ，９ｂがそれぞれ固定されている。クッション部９ｂは、折り曲げ可能に構成され、ここでは、例えばポリウレタンフォーム等を主材料として形成される。このクッション部９ｂは、バンド部９ａに重ねて設けられ、背負時に作業者に当接しクッション性を付与する。
【００２１】
背負バンド９，９のバンド部９ａ，９ａの上端部は、薬剤タンク２の前側の上部に左右対称に設けられた一対の上部バンド取付部１３，１３に対して、着脱可能に係止される。
【００２２】
背負バンド９，９のバンド部９ａ，９ａの下端部は、架台６の下部に対して係止される。バンド部９ａの下端部は、図７及び図８を参照すれば、その先端が折り返されて元の部分に縫合により連結され、これにより筒状部９ｃが形成され、この筒状部９ｃに棒状部材９ｄが挿通（挿入）されることによって、バンド端部９ｅが構成され、このバンド端部９ｅが架台６の下部に係止される（詳しくは後述）。
【００２３】
以下、背負バンド９の下端部を、噴霧機本体部１１を構成する架台６に取り付ける取付構造について詳説する。図３は、架台を示す後方斜視図であり、一方の背負バンドが係止された状態を示す図、図４は、図３に示す架台の背面図、図５は、図４中の左側の小窓を示す拡大図、図６は、図３及び図４に示す架台の前方斜視図である。なお、図６及び以降の図７においては、図が煩雑になるのを避けるために、クッション部９ｂは省略されている。
【００２４】
架台６は、前述したように、噴霧機本体部１１の下部を構成し、薬剤タンク２を軸部６ｘにより回動可能に支持すると共に、エンジン３、燃料タンク５及びポンプ４等の駆動部を搭載するものである。架台６は、図３、図４及び図６に示すように、底壁部となる略矩形状のベース部６ａと、このベース部６ａの前端に直角に立設され上方に延びる前壁部６ｂと、を備える。前壁部６ｂは、詳しくは、図３及び図６に示すように、ベース部６ａから直角に上方へ所定長延び、続けて上部がやや後傾する（後に傾く：図３の図示手前側に傾く）ように構成される。
【００２５】
ベース部６ａは、上記駆動部を固定するためのものであると共に、噴霧機本体部１１を地面に載置する際の台座として機能するものである。このベース部６ａと前壁部６ｂの上端との間には、図１及び図２に示すように、左右一対のステー７，７が固定される。ステー７は逆Ｌ字状を成しており、架台６の左右側部に取り付けられる。このステー７には、薬剤タンク２が載置される。
【００２６】
図３及び図４に示すように、前壁部６ｂの内面で、背負バンド８の下端部の進入位置に対応する位置、すなわち、前壁部６ｂの左右側の内面には、上方へ行くに従い後傾する（図４の図示手前に傾く）傾斜壁６ｆ，６ｆが設けられる。この左右一対の傾斜壁６ｆ，６ｆは、背面視において（図４の手前側から見て）ハの字状を成している。また、傾斜壁６ｆと前壁部６ｂとを連結する連結壁６ｇが設けられる。この連結壁６ｇは、傾斜壁６ｆから前壁部６ｂに向かうに従い上方へ傾斜するように構成される。この左右一対の連結壁６ｇ，６ｇは、背面視において（図４の手前側から見て）逆ハの字状を成している。
【００２７】
一方、ベース部６ａにおいて、上記傾斜壁６ｆより後方の位置（図４のさらに手前側）には、図６に示すように、開口６ｄが形成され、この開口６ｄを内側から塞ぐように、上方に突出する山部６ｍが設けられる。この山部６ｍは、図３及び図４に示すように、傾斜壁６ｆから一定距離を隔て、当該傾斜壁６ｆに沿うように設けられる。従って、左右一対の山部６ｍ，６ｍも、背面視において（図４の手前側から見て）ハの字状を成している。
【００２８】
このベース部６ａには、図３〜図６に示すように、内外を連通する略矩形状の小窓６ｗが開口されている。小窓６ｗは、棒状部材９ｄを装着した状態のバンド端部９ｅの挿通を可能とする大きさとされている。この小窓６ｗは、山部６ｍにおいて傾斜壁６ｆから遠い方の傾斜面（図４の手前側の傾斜面）６ｐにかかると共に、当該山部６ｍよりさらに後方（図４の手前側）に延びるように設けられる。
【００２９】
そして、図６に示すように、ベース部６ａの小窓６ｗ，６ｗから前壁部６ｂの中程の高さ位置に亘って、下方から上方へ向かって連続して切り欠くようにスリット６ｔが設けられる。このスリット６ｔは、ベース部６ａ及び前壁部６ｂを貫通した上で、さらに内部の傾斜壁６ｆを下から上方へ長孔状に所定長切り欠いたスリットであり、背負バンド９の帯状のバンド部９ａの挿通を可能とする幅を有する一方で、バンド端部９ｅの挿通を不可とする幅を有する。
【００３０】
従って、スリット６ｔのうち、図３及び図４に示すように、傾斜壁６ｆを貫通するスリットは、架台６内に位置するバンド端部９ｅのそれ以上の前壁部６ｂ側への移動を阻止しバンド端部９ｅを係止するためのバンド端部係止用スリット６ｙとされる。また、スリット６ｔは、小窓６ｗとバンド端部係止用スリット６ｙとを結び、少なくとも山部６ｍを横切る連絡スリット６ｚを有する。また、図６に示すように、スリット６ｔは、連絡スリット６ｚに繋がり前壁部６ｂの下端から直角に上方に延びる鉛直スリット６ｓを有する。
【００３１】
そして、本実施形態の背負バンド９の取付構造では、図３、図４及び図６に示すように、棒状部材９ｄが筒状部９ｃに挿通されたバンド端部９ｅが、架台６内に進入し、バンド端部係止用スリット６ｙに突き当たりそれ以上の前壁部６ｂ側への移動が阻止されて係止された状態とされると共に、バンド部９ａが、バンド端部係止用スリット６ｙ及び鉛直スリット６ｓを挿通し、架台６外に配置された状態となっている。すなわち、背負バンド９の下端部は、架台６の下部に対して取り付けられた状態となっている。
【００３２】
このような背負バンド９のバンド端部９ｅを、架台６に取り付ける手順を、以下の図７〜図１１を参照しながら説明する。図７は、背負バンドの取り付け手順を示す図であり、架台の小窓に対して背負バンドのバンド端部をセットする様子を示す前方斜視図、図８は、図７に続く手順を示す図であり、図５中の小窓に背負バンドのバンド端部が挿通し、バンド端部に続くバンド部が山部のスリット及びバンド端部係止用スリットを挿通した状態を示す図、図９は、図８に示す状態を図４のＤ−Ｄ線に沿う位置で見た図、図１０は、図９に続く取り付け手順を示す図であり、バンド端部が山部に乗り上げた状態を示す図、図１１は、図１０に続く取り付け手順を示す図であり、バンド端部が山部を乗り越えて谷部に落とし込まれ山部とバンド端部係止用スリットとの間に係止された状態を示す図である。
【００３３】
先ず、図７に示すように、バンド端部９ｅの棒状部材９ｄの軸心方向が、鉛直スリット６ｓの延在方向に沿った状態で、バンド端部９ｅが、小窓６ｗの下方に位置するようにセットする。このとき、勿論、バンド部９ａが、鉛直スリット６ｓの下方に位置するようにセットする。
【００３４】
次いで、図８及び図９に示すように、バンド端部９ｅを、小窓６ｗに挿通させていくと共に、バンド部９ａを、山部６ｍを横切る連絡スリット６ｚ、及び、バンド端部係止用スリット６ｙに挿通させていく。
【００３５】
次いで、図１０に示すように、バンド部９ａを、小窓６ｗから離れる方向である前方（図１０の左側）へ引っ張り移動させる。すると、バンド端部９ｅが、山部６ｍの傾斜面６ｐに乗り上げていく。
【００３６】
そして、さらに引っ張ると、図１１に示すように、バンド端部９ｅは、山部６ｍを乗り越えて谷部６ｎに落とし込まれ、山部６ｍとバンド端部係止用スリット６ｙとの間に挟まれる。すなわち、バンド端部９ｅは、バンド端部係止用スリット６ｙにより、それ以上の前壁部６ｂ側への移動が阻止されると共に、山部６ｍにより、小窓６ｗ側へ抜け出ることが妨げられる。
【００３７】
このように、本実施形態においては、噴霧機本体部１１を構成する架台６は、背負バンド９のバンド端部９ｅの挿通を可能とする小窓６ｗと、小窓６ｗに連なり、背負バンド９のバンド部９ａの挿通を可能とする幅を有する一方で、バンド端部９ｅの挿通を不可とする幅を有するスリット６ｔと、を備え、スリット６ｔのうち小窓６ｗから離れた位置に、小窓６ｗを挿通し内部に進入したバンド端部９ｅが小窓６ｗから離れる方向へ移動した状態においてバンド端部９ｅのそれ以上の移動を阻止し当該バンド端部９ｅを係止するためのバンド端部係止用スリット６ｙを有しているため、バンド端部９ｅが、架台６の小窓６ｗを通して内部に挿通されると共に、バンド部９ａが、架台６のスリット６ｔを通して内部に挿通され、この状態で、小窓６ｗを挿通し内部に進入したバンド端部９ｅが、小窓６ｗから離れる方向へ引っ張られて移動すると、当該バンド端部９ｅは、スリット６ｔのうち小窓６ｗから離れた位置のバンド端部係止用スリット６ｙに突き当たり、それ以上の移動が阻止されて係止されるようになる。従って、背負バンド９のバンド端部９ｅを架台６に容易に取り付けることができる。また、この背負バンドの取付構造によれば、バンド端部９ｅが架台６内に進入し、バンド部９ａが架台６外に配置される構成のため、ナスカン金具ではないバンド部９ａを、作業者の体の幅とほぼ同じ幅の位置で架台６外へ突出させることができ、バンド部９ａを作業者の体にフィットするように接触させることができ、背負い心地を向上できる。
【００３８】
また、本実施形態においては、スリット６ｔは、小窓６ｗに対して直交するように延在する鉛直スリット６ｓを有し、バンド端部９ｅの棒状部材９ｄの軸心方向が、鉛直スリット６ｓの延在方向に沿った状態で、バンド端部９ｅが小窓６ｗに対して挿通されるため、小窓６ｗに対してバンド端部９ｅを容易に挿通できる。
【００３９】
また、小窓６ｗとバンド端部係止用スリット６ｙとの間に、小窓６ｗを挿通し内部に進入した状態のバンド端部９ｅが、乗り越えることが可能であると共に戻ることを妨げるための山部６ｍを有しているため、バンド端部９ｅが山部６ｍを乗り越えると、当該山部６ｍとバンド端部係止用スリット６ｙとの間の谷部６ｎに落とし込まれ、山部６ｍにより戻ることが妨げられる（抜け止めされる）結果、好適に係止することができる。
【００４０】
以上、本発明をその実施形態に基づき具体的に説明したが、本発明は上記実施形態に限定されるものではなく、例えば、上記実施形態においては、特に好ましいとして、薬剤タンク２が架台６に対して前傾可能なスイングタンクに対する適用を述べているが、薬剤タンク２が架台６に対して固定され前傾しないタンクに対しても適用可能である。
【００４１】
また、上記実施形態においては、薬剤（薬液）を噴霧するための背負式動力噴霧機に対する適用を述べているが、例えば、背負式動力散布機等の背負式動力作業機に対して適用可能であり、さらには、背負式手動式の噴霧機や散布機等の作業機に対しても適用可能であり、要は、背負バンドを備えた背負式作業機に対して適用できる。
【符号の説明】
【００４２】
１…背負式動力噴霧機（背負式作業機）、６…架台、６ｍ…山部、６ｎ…谷部、６ｐ…傾斜面、６ｓ…鉛直スリット、６ｔ…スリット、６ｗ…小窓、６ｙ…バンド端部係止用スリット、６ｚ…連絡スリット、９…背負バンド、９ａ…バンド部、９ｃ…筒状部、９ｄ…棒状部材、９ｅ…バンド端部、１１…噴霧機本体部（作業機本体部）。
【図１】
0006392186.tif 000002
【図２】
0006392186.tif 000003
【図３】
0006392186.tif 000004
【図４】
0006392186.tif 000005
【図５】
0006392186.tif 000006
【図６】
0006392186.tif 000007
【図７】
0006392186.tif 000008
【図８】
0006392186.tif 000009
【図９】
0006392186.tif 000010
【図１０】
0006392186.tif 000011
【図１１】
0006392186.tif 000012